(57)【要約】【課題】帯状のシートに貼り付けられた媒体に、媒体の幅サイズを超える画像を幅サイズに収まる大きさに分割して印刷する場合に、複数の媒体を貼り合わせる作業の作業性を向上したテープ、テープロール、及びテープカセットを提供する。【解決手段】テープ６０は帯状のシート７、複数組の媒体８、９、分離線４３〜４５、切断部４８、４９を備える。第一分離線４４は長手方向１６において同じ組の第一媒体８と第二媒体９との間となるシート７の一端７１と他端７３との間に延びる。第一切断部４８は第一媒体８の一端８３から終点Ｅ１まで延び、第一媒体８を貫通する。第二切断部４９は第二媒体９の一端９３から終点Ｅ２まで延び、第二媒体９を貫通する。長手方向１６において、第二分離線４３は終点Ｅ１から第一端部Ｆ１まで延び、第三分離線４５は終点Ｅ２から第二端部Ｆ２まで延びる。分離線４３〜４５はシート７の厚み方向に貫通又は切り込まれた部分を含む。【選択図】図５
2019045645.tif 000002
【特許請求の範囲】
【請求項１】
帯状のシートと、
前記シートの長手方向に隣接して配置される第一媒体及び第二媒体であって、前記シートに剥離可能に貼り付けられている、複数組の前記第一媒体及び前記第二媒体と、
前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、
前記幅方向における前記第一媒体の中心に対して、前記幅方向において前記シートの前記一端側に位置する前記幅方向における前記第一媒体の一端から、前記幅方向における前記第一媒体の前記一端と前記幅方向における前記第一媒体の前記中心との間に位置する第一終点まで延びる、前記第一媒体を貫通する第一切断部と、
前記幅方向における前記第二媒体の中心に対して、前記幅方向においての前記シートの前記一端側に位置する前記幅方向における前記第二媒体の一端から、前記幅方向における前記第二媒体の前記一端と前記幅方向における前記第二媒体の前記中心との間に位置する第二終点まで延びる、前記第二媒体を貫通する切断部であって、前記長手方向における前記第二終点の位置が、同じ組の前記第一媒体と前記第二媒体との間となる前記シートの前記長手方向における中心に対して、前記第一切断部と等距離となる位置にある第二切断部と、
前記シートの前記第一媒体が貼り付けられている第一部分に設けられ、前記幅方向において、前記幅方向における前記第一媒体の前記中心と、前記幅方向における前記第一媒体の前記一端との間に延び、且つ、前記長手方向において少なくとも前記第一終点と、前記長手方向における前記第一媒体の一端及び他端の何れかである第一端部との間に延びる、前記シートの厚み方向に貫通又は切り込まれた部分を含む第二分離線と、
前記シートの前記第二媒体が貼り付けられている第二部分に設けられ、前記幅方向において、前記幅方向における前記第二媒体の前記中心と、前記幅方向における前記第二媒体の前記一端との間、且つ、前記長手方向において少なくとも前記第二終点と、前記長手方向における前記第二媒体の一端及び他端の何れかである第二端部であって、前記長手方向における前記第一終点に対する前記第一端部と、前記長手方向における前記第二終点に対する前記第二端部とが反対である前記第二端部との間に延びる、前記シートの厚み方向に貫通又は切り込まれた部分を含む第三分離線と
を備えることを特徴とするテープ。
【請求項２】
前記第一切断部は、前記長手方向における前記第一媒体の中心に位置し、
前記第二切断部は、前記長手方向における前記第二媒体の中心に位置することを特徴とする請求項１に記載のテープ。
【請求項３】
前記第二分離線は、前記長手方向において前記第一終点から、前記第一終点に対して前記第一端部側とは反対側を避けて形成され、
前記第三分離線は、前記長手方向におい前記第二終点から、前記第二終点に対して前記第二端部側とは反対側を避けて形成される、
ことを特徴とする請求項１又は２に記載のテープ。
【請求項４】
前記第二媒体は、前記幅方向における前記第二媒体の前記中心よりも前記幅方向における前記第二媒体の前記他端側に、前記長手方向に延びる画像を備えることを特徴とする請求項１〜３の何れかに記載のテープ。
【請求項５】
前記同じ組の前記第一媒体と前記第二媒体とは前記長手方向に離間して剥離可能に貼り付けられていることを特徴とする請求項１〜４の何れかに記載のテープ。
【請求項６】
前記第一切断部の前記幅方向の長さと、前記第二切断部の前記幅方向の長さとの合計は、前記幅方向における前記第一媒体の前記一端から前記第二分離線までの長さと等しいことを特徴とする請求項１〜５の何れかに記載のテープ。
【請求項７】
前記第一切断部の前記幅方向の前記長さと、前記第二切断部の前記幅方向の前記長さとは同じであることを特徴とする請求項６に記載のテープ。
【請求項８】
前記シートに設けられた前記シートの厚み方向に貫通した部分を含む分割部であって、前記長手方向における位置が前記第一終点と一致し、前記幅方向において前記第二分離線に対応する位置から前記幅方向における前記シートの前記一端まで前記幅方向に延びる第一分割部と、
前記シートに設けられた前記シートの厚み方向に貫通した部分を含む分割部であって、前記長手方向における位置が前記第二終点と一致し、前記幅方向において前記第三分離線に対応する位置から前記幅方向における前記シートの前記一端まで前記幅方向に延びる第二分割部と
を更に備えることを特徴とする請求項１〜７の何れかに記載のテープ。
【請求項９】
帯状のシートと、
前記シートの長手方向に隣接して配置される第一媒体及び第二媒体であって、前記第一媒体と前記第二媒体とが剥離可能に貼り付けられている、複数組の前記第一媒体及び前記第二媒体と、
前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、
前記幅方向における前記第一媒体の中心に対して、前記幅方向において前記シートの前記一端側に位置する前記幅方向における前記第一媒体の一端から、前記幅方向における前記第一媒体の前記一端と前記幅方向における前記第一媒体の前記中心との間に位置する第一終点まで延びる、前記第一媒体を貫通する第一切断部と、
前記幅方向における前記第二媒体の中心に対して、前記幅方向においての前記シートの前記他端側に位置する前記幅方向における前記第二媒体の端部から、前記幅方向における前記第二媒体の前記端部と前記幅方向における前記第二媒体の前記中心との間に位置する第二終点まで延びる、前記第二媒体を貫通する切断部であって、前記長手方向における前記第二終点の位置が、前記長手方向において、前記長手方向における前記第二媒体の中心に対して、前記第一分離線側の前記長手方向における前記第二媒体の端部と、前記第二終点との距離と、前記長手方向における前記第一媒体の中心に対して、前記第一分離線側の前記長手方向における前記第一媒体の端部と、前記第一終点との距離との和が前記第二媒体の前記長手方向の長さに等しい位置にある第二切断部と、
前記シートの前記第一媒体が貼り付けられている第一部分に設けられ、前記幅方向において、前記幅方向における前記第一媒体の前記中心と、前記幅方向における前記第一媒体の前記一端との間に延び、且つ、前記長手方向において少なくとも前記第一終点と前記長手方向における前記第一媒体の一端及び他端の何れかである第一端部との間に延びる、前記シートの厚み方向に貫通又は切り込まれた部分を含む第二分離線と、
前記シートの前記第二媒体が貼り付けられている第二部分に設けられ、前記幅方向において、前記幅方向における前記第二媒体の前記中心と、前記幅方向における前記第二媒体の前記端部との間に延び、且つ、前記長手方向において少なくとも前記第二終点と、前記長手方向における前記第二媒体の一端及び他端の何れかである第二端部であって、前記長手方向における前記第一終点に対する前記第一端部と、前記長手方向における前記第二終点に対する前記第二端部とが同じである前記第二端部との間に延びる、前記シートの厚み方向に貫通又は切り込まれた部分を含む第三分離線と
を備えることを特徴とするテープ。
【請求項１０】
スプールと、
前記スプールに巻回された請求項１〜８の何れかのテープと
を備えることを特徴とするテープロール。
【請求項１１】
請求項１０のテープロールと、
前記テープロールへの印刷に使用されるインクリボンが巻回されたリボンロールと、
前記テープロールと、前記リボンロールとを収容する筐体と、
前記リボンロールと、前記テープロールとを前記筐体の外側に露出させる開口部と、
前記開口部から前記筐体の前記外側に露出された前記テープロールを通す排出部とを備え、
前記開口部と前記排出部との間の長さは、前記複数組の前記第一媒体及び前記第二媒体の内の、前記長手方向に隣合う２組の前記第一媒体及び前記第二媒体の間隔よりも短いことを特徴とするテープカセット。
【請求項１２】
請求項４のテープがスプールに巻回されるテープロールと、
前記テープロールへの印刷に使用されるインクリボンが巻回されたリボンロールと、
前記テープロールと、前記リボンロールとを収容する筐体とを備え、
前記第二媒体は、第一色の前記画像を有し、
前記インクリボンは、前記第一色と異なる第二色のインクを含む、
ことを特徴とするテープカセット。
【発明の詳細な説明】
【技術分野】
【０００１】
本発明は、テープ、テープロール及びテープカセットに関する。
【背景技術】
【０００２】
特許文献１に記載の印刷装置は、帯状の印刷テープに、印刷テープの幅を超える画像を印刷する場合に、画像を印刷するための印刷データを複数の部分データに分割し、生成された複数の部分データを印刷テープの長手方向の複数の領域に分けて印刷する機能を備える。印刷装置が複数の部分データに従って印刷テープに印刷した後、ユーザは、複数の部分データの各々に対応する印刷テープを、位置合わせ用のマークを基準として貼り合わせる。
【先行技術文献】
【特許文献】
【０００３】
【特許文献１】特開２００６−３１５４１４号公報
【発明の概要】
【発明が解決しようとする課題】
【０００４】
複数の印刷テープを貼り合わせる場合、正確に位置合わせされるのが望ましい。上記従来の印刷装置では、マークを基準として位置合わせが可能であるが、ユーザが複数の印刷テープを貼り合わせる時には、剥離紙を全て剥がした状態で印刷テープ同士の位置合わせを行う必要がある。そのため、貼り合わせる領域以外の粘着部分が手又は対象物に付着し、貼り合わせの作業性が悪い。
【０００５】
本発明の目的は、帯状のシートに貼り付けられた媒体に、媒体の幅サイズを超える画像を幅サイズに収まる大きさに分割して印刷する場合に、複数の媒体を貼り合わせる作業の作業性を向上したテープ、テープロール、及びテープカセットを提供することである。
【課題を解決するための手段】
【０００６】
本発明の第一態様に係るテープは、帯状のシートと、前記シートの長手方向に隣接して配置される第一媒体及び第二媒体であって、前記シートに剥離可能に貼り付けられている、複数組の前記第一媒体及び前記第二媒体と、前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、前記幅方向における前記第一媒体の中心に対して、前記幅方向において前記シートの前記一端側に位置する前記幅方向における前記第一媒体の一端から、前記幅方向における前記第一媒体の前記一端と前記幅方向における前記第一媒体の前記中心との間に位置する第一終点まで延びる、前記第一媒体を貫通する第一切断部と、前記幅方向における前記第二媒体の中心に対して、前記幅方向においての前記シートの前記一端側に位置する前記幅方向における前記第二媒体の一端から、前記幅方向における前記第二媒体の前記一端と前記幅方向における前記第二媒体の前記中心との間に位置する第二終点まで延びる、前記第二媒体を貫通する切断部であって、前記長手方向における前記第二終点の位置が、同じ組の前記第一媒体と前記第二媒体との間となる前記シートの前記長手方向における中心に対して、前記第一切断部と等距離となる位置にある第二切断部と、前記シートの前記第一媒体が貼り付けられている第一部分に設けられ、前記幅方向において、前記幅方向における前記第一媒体の前記中心と、前記幅方向における前記第一媒体の前記一端との間に延び、且つ、前記長手方向において少なくとも前記第一終点と、前記長手方向における前記第一媒体の一端及び他端の何れかである第一端部との間に延びる、前記シートの厚み方向に貫通又は切り込まれた部分を含む第二分離線と、前記シートの前記第二媒体が貼り付けられている第二部分に設けられ、前記幅方向において、前記幅方向における前記第二媒体の前記中心と、前記幅方向における前記第二媒体の前記一端との間、且つ、前記長手方向において少なくとも前記第二終点と、前記長手方向における前記第二媒体の一端及び他端の何れかである第二端部であって、前記長手方向における前記第一終点に対する前記第一端部と、前記長手方向における前記第二終点に対する前記第二端部とが反対である前記第二端部との間に延びる、前記シートの厚み方向に貫通又は切り込まれた部分を含む第三分離線とを備える。
【０００７】
第一態様のテープは、媒体の幅サイズを超える画像を幅サイズに収まる大きさに分割して印刷する場合に、第一媒体の第一切断部と第二媒体の第二切断部を噛み合わせることで、貼り合わせ時に、第一媒体と第二媒体の長手方向の位置を精度よく合わせられる。具体的には、ユーザは、例えば、テープの第一媒体及び第二媒体に印刷後、第一分離線に沿ってシートを２分割する。ユーザは、第一部分のシートの一部を第二分離線に沿って剥がし、第二部分のシートの一部を第三分離線に沿って剥がす。これにより、第一媒体及び第二媒体の各々の一部が露出した状態となる。この状態で、ユーザは、第一媒体の第一切断部と第二媒体の第二切断部を噛み合わせ、第一媒体と、第二媒体とを、噛み合わせ部分を中心に相対的に回転させる。ユーザは、第一媒体の露出した部分を第二媒体に貼り付け、第二媒体の露出した部分を第一媒体に貼り付ける。ユーザは、第一切断部と第二切断部とによって、第一媒体と第二媒体とのシートの長手方向及び幅方向における位置合わせを行うことができる。
【０００８】
本発明の第二態様に係るテープは、帯状のシートと、前記シートの長手方向に隣接して配置される第一媒体及び第二媒体であって、前記第一媒体と前記第二媒体とが剥離可能に貼り付けられている、複数組の前記第一媒体及び前記第二媒体と、前記長手方向において同じ組の前記第一媒体と前記第二媒体との間となる前記シートにおいて、前記長手方向に直交する幅方向の一端と他端との間に延びる、前記シートの厚み方向に貫通又は切り込まれた部分を含む第一分離線と、前記幅方向における前記第一媒体の中心に対して、前記幅方向において前記シートの前記一端側に位置する前記幅方向における前記第一媒体の一端から、前記幅方向における前記第一媒体の前記一端と前記幅方向における前記第一媒体の前記中心との間に位置する第一終点まで延びる、前記第一媒体を貫通する第一切断部と、前記幅方向における前記第二媒体の中心に対して、前記幅方向においての前記シートの前記他端側に位置する前記幅方向における前記第二媒体の端部から、前記幅方向における前記第二媒体の前記端部と前記幅方向における前記第二媒体の前記中心との間に位置する第二終点まで延びる、前記第二媒体を貫通する切断部であって、前記長手方向における前記第二終点の位置が、前記長手方向において、前記長手方向における前記第二媒体の中心に対して、前記第一分離線側の前記長手方向における前記第二媒体の端部と、前記第二終点との距離と、前記長手方向における前記第一媒体の中心に対して、前記第一分離線側の前記長手方向における前記第一媒体の端部と、前記第一終点との距離との和が前記第二媒体の前記長手方向の長さに等しい位置にある第二切断部と、前記シートの前記第一媒体が貼り付けられている第一部分に設けられ、前記幅方向において、前記幅方向における前記第一媒体の前記中心と、前記幅方向における前記第一媒体の前記一端との間に延び、且つ、前記長手方向において少なくとも前記第一終点と前記長手方向における前記第一媒体の一端及び他端の何れかである第一端部との間に延びる、前記シートの厚み方向に貫通又は切り込まれた部分を含む第二分離線と、前記シートの前記第二媒体が貼り付けられている第二部分に設けられ、前記幅方向において、前記幅方向における前記第二媒体の前記中心と、前記幅方向における前記第二媒体の前記端部との間に延び、且つ、前記長手方向において少なくとも前記第二終点と、前記長手方向における前記第二媒体の一端及び他端の何れかである第二端部であって、前記長手方向における前記第一終点に対する前記第一端部と、前記長手方向における前記第二終点に対する前記第二端部とが同じである前記第二端部との間に延びる、前記シートの厚み方向に貫通又は切り込まれた部分を含む第三分離線とを備える。
【０００９】
第二態様のテープは、第一態様のテープと同様の効果を奏する。第二態様のテープは、媒体の幅サイズを超える画像を幅サイズに収まる大きさに分割して印刷する場合に、第一媒体に印刷される画像と、第二媒体に印刷される画像とをシートの幅方向において、同じ向きに形成される。
【００１０】
本発明の第三態様に係るテープロールは、スプールと、前記スプールに巻回された第一態様又は第二態様のテープとを備える。第三態様のテープロールは、テープロールが備えるテープに応じて、第一態様のテープと同様の効果を奏する。テープロールでは、スプールによってテープをコンパクトに保持できる。
【００１１】
本発明の第四態様に係るテープカセットは、第三態様のテープロールと、前記テープロールへの印刷に使用されるインクリボンが巻回されたリボンロールと、前記テープロールと、前記リボンロールとを収容する筐体と、前記リボンロールと、前記テープロールとを前記筐体の外側に露出させる開口部と、前記開口部から前記筐体の前記外側に露出された前記テープロールを通す排出部とを備え、前記開口部と前記排出部との間の長さは、前記複数組の前記第一媒体及び前記第二媒体の内の、前記長手方向に隣合う２組の前記第一媒体及び前記第二媒体の間隔よりも短い。第四態様のテープカセットは、第三態様のテープロールと同様の効果を奏する。テープカセットは、カッタを備える印刷装置に取り付けられ、印刷を完了して、テープロールが切断された時に、次の組の第二媒体及び第一媒体の先端部を筐体内、つまり、印刷位置の手前に配置できる。
【００１２】
本発明の第五態様に係るテープカセットは、第四態様のテープロールであって、前記長手方向に延びる画像を備える前記第二媒体を有するテープがスプールに巻回されたテープロールと、前記テープロールへの印刷に使用されるインクリボンが巻回されたリボンロールと、前記テープロールと、前記リボンロールとを収容する筐体とを備え、前記第二媒体は、第一色の前記画像を有し、前記インクリボンは、前記第一色と異なる第二色のインクを含む。第五態様のテープカセットは、第四態様のテープロールと同様の効果を奏する。テープカセットは、印刷装置によって印刷される場合に、第二媒体に第一色及び第二色との二色の画像を形成できる。
【図面の簡単な説明】
【００１３】
【図１】印刷装置１の斜視図である。
【図２】カバー５を開けた状態の印刷装置１の斜視図である。
【図３】カバー５を開けた状態の印刷装置１から保護部３６を除いた背面図である。
【図４】第一ケース６７１を取り外した状態のテープカセット６の背面図である。
【図５】（Ａ）は図の左右方向をテープ６０の長手方向１６とした状態のテープ６０の図であり、（Ｂ）はシート７における第一媒体８が貼り付けられた第一部分８５と、第二媒体９が貼り付けられた第二部分９５とを示す図であり、（Ｃ）は第一媒体８に画像８６が印刷され、第二媒体９に画像９６が印刷されたテープ６０を示す図である。
【図６】（Ａ）は印刷後のテープ６０が、第一分離線４４、第二分離線４３、及び第三分離線４５に沿ってテープ８７とテープ９７とに分離した状態を示す図であり、（Ｂ）はテープ６０がテープ８７とテープ９７とに分離された後に、第一媒体８の第一切断部４８と第二媒体９の第二切断部４９とを噛み合わせた状態を示す図であり、（Ｃ）は第一媒体８と第二媒体９とを幅方向に貼り合わせた状態を示す図である。
【図７】（Ａ）は変形例のテープ６１を示す図であり、（Ｂ）は変形例のテープ６７を示す図である。
【図８】（Ａ）は変形例のテープ６８を示す図であり、（Ｂ）は変形例のテープ６８が備えるシート８８における第一媒体８が貼り付けられた第一部分１８５と、第二媒体９が貼り付けられた第二部分１９５とを示す図であり、（Ｃ）は変形例のテープ８７を示す図である。
【図９】（Ａ）〜（Ｄ）は各々変形例のシート１３１〜１３４を示す図である。
【図１０】（Ａ）〜（Ｄ）は各々変形例の第一媒体１３５〜１３８を示す図である。
【発明を実施するための形態】
【００１４】
以下、本発明の一実施形態について図面を参照して説明する。参照する図面は、本発明が採用しうる技術的特徴を説明するために用いられるものである。図面に記載されている装置の構成は、それのみに限定する趣旨ではなく、単なる説明例である。
【００１５】
＜印刷装置１の概略構成＞
本実施形態に係る印刷装置１及びテープカセット６の概略構成について、図１〜図４を参照して順に説明する。以下の説明では、図１の上方、下方、右下方、左上方、右上方、左下方を各々、印刷装置１の前方、後方、右方、左方、上方、及び下方と定義する。図４の下方、上方、右方、左方、紙面前方、及び紙面後方を各々、テープカセット６の前方、後方、右方、左方、上方、及び下方と定義する。
【００１６】
図１に示すように、印刷装置１の形状は、略直方体状である。印刷装置１は、筐体２、カバー５、キーボード１１、機能キー群１２、液晶ディスプレイ１３、及び切断用ノブ１４を有する。筐体２及びカバー５は樹脂製である。筐体２は後方に開口を有する正面視矩形状の箱状体である。カバー５は、筐体２の後側に開閉自在に取り付けられる。図１はカバー５が閉じた状態であり、カバー５は筐体２の開口を覆う。キーボード１１は筐体２の前面の中心よりも下側に設けられる。キーボード１１は種々の文字入力等に用いられる。機能キー群１２はキーボード１１の上方に設けられる。機能キー群１２は、電源の入切及び印刷装置１の各種制御に用いられる。液晶ディスプレイ１３は機能キー群１２の上方に設けられる。液晶ディスプレイ１３は、入力された文字や記号等を表示する。切断用ノブ１４は、筐体２の右上に左下方向に移動可能に設けられた、筐体２から右上方に突出する部分である。
【００１７】
図２及び図３に示すように、印刷装置１は、筐体２内部に、電池装着部２１、カセット装着部２２、プラテンホルダ３８、プラテンローラ３０、テープサブローラ３１、保護部３６、排出口２６、可動刃１４１、及び固定刃１４２を備える。電池装着部２１は、筐体２内部の中心よりも右下側にある角部に設けられた、６本の電池を着脱可能な凹部である。
【００１８】
カセット装着部２２は、電池装着部２１の上側に隣接した凹部であり、テープカセット６を後方から装着可能である。図３に示すように、カセット装着部２２には、ヘッドホルダ２９１、サーマルヘッド２９、テープ駆動ローラ軸３２、リボン巻取軸３３、位置決ボス４１及びフック２５１、２５２等が配置される。ヘッドホルダ２９１は、カセット装着部２２の左右方向の中心よりも右側において上下方向に延びる板状の部材である。サーマルヘッド２９は、ヘッドホルダ２９１の右面に配設される。テープ駆動ローラ軸３２は、ヘッドホルダ２９１の上方において前後方向に延びる軸である。リボン巻取軸３３は、カセット装着部２２の略中央に設けられた前後方向に延びる軸である。リボン巻取軸３３は、テープカセット６に設けられたリボン巻取スプール６３１に嵌入されて回転駆動する。リボン巻取軸３３とテープ駆動ローラ軸３２とは、テープ６０とインクリボン６１３（図４参照）とが同じ搬送速度で搬送されるように回転駆動される。位置決ボス４１は、ヘッドホルダ２９１の上左側において前後方向に延びる円柱状である。フック２５１は、カセット装着部２２の下端部から後方に向け突出し、フック２５２はカセット装着部２２の上端部から後方に向けて突出する。フック２５１、２５２は、カセット装着部２２に装着されたテープカセット６に係合可能である。
【００１９】
プラテンホルダ３８は、カセット装着部２２の右方において上下方向に延び、下端部において、前後方向に延びる回動軸３７を中心に回動可能に軸支される。プラテンホルダ３８はプラテンローラ３０とテープサブローラ３１とを背面視反時計回りに回転可能に軸支する。プラテンローラ３０は、サーマルヘッド２９の右方に設けられる。テープサブローラ３１は、テープ駆動ローラ軸３２の右方且つプラテンローラ３０の上側近傍に設けられる。非図示のバネは、プラテンホルダ３８が回動軸３７を中心に右方へ回動するように付勢する。図２に示すように、保護部３６はプラテンホルダ３８の後方において上下方向に延びる。
【００２０】
排出口２６は筐体２の上端から下方向に延びる開口である。可動刃１４１及び固定刃１４２は排出口２６の下方において、テープカセット６のテープ６０の搬送経路の左右方向両側に設けられた刃である。可動刃１４１及び固定刃１４２の刃は搬送経路側に向く。可動刃１４１は右方にて切断用ノブ１４と当接する。切断用ノブ１４が左下方へ押圧操作されると、可動刃１４１は切断用ノブ１４に押されて固定刃１４２側へ移動する。この時可動刃１４１は、可動刃１４１と固定刃１４２との間に配置されたテープ６０を切断する。固定刃１４２と可動刃１４１とによって切断された印刷済みのテープ６０は、排出口２６から筐体２の外側に排出される。
【００２１】
＜テープカセット６の概略構成＞
図２に示すように、テープカセット６の形状は、平面視略長方形の直方体状である。図４に示すように、テープカセット６は、筐体６７０、一対の案内部材６９、リボン分離部７６、及びアーム部６５を有する。筐体６７０は、テープロール６００と、リボンロール２０とを収容する。筐体６７０は第一ケース６７１、第二ケース６７２を備える。第二ケース６７２は後方が開放する開口を有する箱状である。第一ケース６７１は第二ケース６７２の開口を塞ぐ板状である。
【００２２】
図４に示すように、テープカセット６は、第二ケース６７２に、支持孔７１１、７１２、７１３、テープロール６００、カセットボス７５１、リールボス７５２、リボンロール２０、テープ送りローラ６３２、ガイドピン７３１、７３２、７３３、及び排出部６４を備える。支持孔７１１は、テープロール６００のスプール７２を回動可能に支持する。テープロール６００はテープ６０がスプール７２に巻回されたものである。支持孔７１２は、リボン巻取スプール６３１を支持する。リボン巻取スプール６３１は、スプール７４に巻回されたリボンロール２０からインクリボン６１３を巻き取る。カセットボス７５１及びリールボス７５２は各々、第二ケース６７２の下面に立設される。カセットボス７５１は、スプール７２を回転可能に支持する。リールボス７５２は、リボンロール２０のスプール７４を回転可能に支持する。リボンロール２０はテープロール６００への印刷に使用されるインクリボン６１３がスプール７４に巻回されたものである。支持孔７１３は、テープ送りローラ６３２を回転可能に支持する。テープ送りローラ６３２はテープサブローラ３１（図３参照）と共に回動し、テープロール６００からテープ６０を引き出す。上下一対の案内部材６９は、テープ送りローラ６３２の右下側近傍に設けられる。リボン分離部７６は案内部材６９の左側近傍に設けられる。ガイドピン７３１は、支持孔７１２の上右方において前後方向に延び、印刷後のインクリボン６１３の移動を案内する。ガイドピン７３２はリールボス７５２の右下側において前後方向に延び、印刷前のテープ６０の移動を案内する。ガイドピン７３３はリールボス７５２の右上側において前後方向に延び、印刷前のインクリボン６１３の移動を案内する。排出部６４は支持孔７１３の右上側において、上右方に突出する部位である。排出部６４は排出口６３を備える。排出口６３は、上下方向に貫通する孔である。排出口６３の前後方向の幅は、テープ６０の前後方向の幅以上である。排出口６３は、後述の開口部７９から筐体６７０の外側に露出されたテープ６０を通す。
【００２３】
アーム部６５は、ガイドピン７３３の右付近から、上方に延びる。アーム部６５には、壁部７０、７８３、７８２、及び開口部７９を備える。壁部７０は、アーム部６５の右面である。壁部７８３は壁部７０の左方に、壁部７０に対して略平行に配置されたアーム部６５の左面である。壁部７８２は、アーム部６５の壁部７０と、壁部７８３との間の中央部に配置された、上下方向に延びる薄板状の部材である。開口部７９はリボンロール２０から繰り出されるインクリボン６１３と、テープロール６００から繰り出されるテープ６０とを筐体６７０の外側に露出させる。インクリボン６１３及びテープ６０は、開口部７９と案内部材６９との間において、テープカセット６の外側に露出した状態で保持される。開口部７９は、壁部７８２の上側近傍であって、アーム部６５の上端部に形成される。ヘッド挿入部６２は、アーム部６５の壁部７８３とアーム部６５に対向する側壁部７８１とによって、右上側が開放するＵ字状の凹部である。テープカセット６が印刷装置１のカセット装着部２２に装着された場合、ヘッド挿入部６２には、ヘッドホルダ２９１（図３参照）が挿入される。
【００２４】
＜印刷手順の概要＞
図２、図３、及び図４に示すように、テープカセット６が印刷装置１のカセット装着部２２に装着される場合、テープカセット６のリボン巻取スプール６３１及びテープ送りローラ６３２に各々、リボン巻取軸３３及びテープ駆動ローラ軸３２が嵌入されつつ、ヘッド挿入部６２にヘッドホルダ２９１が挿入される。位置決ボス４１は、カセットボス７５１に嵌入される。これにより、テープカセット６は、位置決めされた状態でカセット装着部２２に押し込まれ、カセット装着部２２に装着される。テープカセット６がカセット装着部２２に装着された後、カバー５が閉じられる。カバー５が閉じた場合、カバー５に設けられたローラホルダカム（非図示）が、プラテンホルダ３８を左方へ押圧する。プラテンホルダ３８は、非図示のバネの付勢力に抗して左方へ回動される。
【００２５】
印刷装置１が印刷処理を実行する場合、テープ６０は、スプール７２からガイドピン７３２を経てアーム部６５の壁部７０と壁部７８２との間を搬送される。インクリボン６１３は、スプール７４からガイドピン７３３を経てアーム部６５の壁部７８３と壁部７８２との間を搬送される。アーム部６５内、及び開口部７９から排出部６４までの間では、インクリボン６１３はテープ６０の左側に位置する。インクリボン６１３とテープ６０とは、左右方向に重ね合わされて開口部７９からヘッド挿入部６２へ搬送される。次いで、テープ６０とインクリボン６１３とは、プラテンローラ３０によってサーマルヘッド２９に押圧される。サーマルヘッド２９の発熱により、インクリボン６１３は左側から加熱される。これにより、テープ６０にインクが熱転写され、文字等の画像が印刷される。
【００２６】
次いで、インクリボン６１３は、リボン分離部７６によってテープ６０から分離される。分離されたインクリボン６１３は、ガイドピン７３１を経てリボン巻取スプール６３１に巻き取られる。リボン分離部７６によってインクリボン６１３が分離された印刷済みのテープ６０は、案内部材６９によって上下方向に規制されてテープ送りローラ６３２へ搬送される。次いで、印刷済みのテープ６０は、テープ駆動ローラ軸３２によって回転駆動されるテープ送りローラ６３２に対し、テープサブローラ３１によって押圧される。印刷済みのテープ６０は、テープ送りローラ６３２の回転により排出口６３を経て排出口２６から排出される。
【００２７】
＜テープ６０の概要＞
図５（Ａ）に示すように、テープ６０は、帯状のシート７、複数組の第一媒体８及び第二媒体９、第一分離線４４、第一切断部４８、第二切断部４９、第二分離線４３、及び第三分離線４５を備える。本例のテープ６０は更に第一分割部５５及び第二分割部５６を備える。シート７は、媒体が剥離可能に貼り付けられる部材である。本例ではシート７は、例えば、紙（例えば、グラシン紙、上質紙、クラフト紙）の表面に剥離剤（例えば、シリコン系）が塗布された剥離紙である。シート７は、樹脂フィルム等の剥離紙以外の部材（即ち、剥離フィルム）であってもよい。
【００２８】
各組の第一媒体８及び第二媒体９は、シート７の長手方向１６に隣接して配置され、第一媒体８と第二媒体９とが長手方向１６に離間してシート７に剥離可能に貼り付けられている。第一媒体８及び第二媒体９は各々、長手方向１６に延びる矩形状である。本例の第一媒体８及び第二媒体９はシート７の長手方向１６の長さ及び幅方向１７の長さが同じであり、互いに同じ形状、同じ大きさを有するラベルである。同じ形状、同じ大きさとは、完全同一である場合だけでなく、実質同一の場合を包含する。第一媒体８及び第二媒体９の地色は同一で、例えば白である。第一媒体８及び第二媒体９の地色は、白以外の色（黄、黒等）であってもよい。第一媒体８及び第二媒体９の地色は単色には限定されず、複数の色を含んでも良い。第一媒体８及び第二媒体９に所定のパターンが形成されてもよい。第一媒体８及び第二媒体９は、例えば、ＰＥＴ、ＰＶＣ、ＰＰ、ＰＥ、ＰＳ、ＡＢＳ等の樹脂で形成されたフィルムである。第一媒体８及び第二媒体９はシート７と対向する側の面に、粘着層を有する。粘着層は、例えばアクリル系の粘着剤を含む。第一媒体８及び第二媒体９は、粘着層によってシート７に貼付される。本例の同じ組の第一媒体８と第二媒体９は、長手方向１６において第一分離線４４の両側にある。本例の第一媒体８と第二媒体９は各々、幅方向１７においてシート７の一端７１と、幅方向１７における第一媒体８の一端８３及び幅方向１７における第二媒体９の一端９３とが一致する位置に配置される。幅方向１７における第一媒体８の他端８４側の角部及び幅方向１７における第二媒体９の他端９４側の角部は面取りされている。
【００２９】
第二媒体９は、長手方向１６に延びる画像４２を備える。画像４２は矩形状である。画像４２は、幅方向１７における第二媒体９の中心Ｍ２と、幅方向１７における第二媒体９の他端９４との間に配置される。本例の画像４２の色は、第二媒体９の地色とは異なる色である。例えば、第二媒体９の地色が白の場合、画像４２の色は、黄色、赤色、橙色、青等である。画像４２は単色で形成される場合に限定されず、複数の色及びパターン等を含んでもよい。インクリボン６１３は、画像４２の色とは異なる色のインクを有し、例えば黒色のインクを有する。具体的には、インクリボン６１３はインク層と基材とを含み、帯状である。基材は、例えばポリエチレンテレフタラート（ＰＥＴ）で形成される。インク層は、色素成分と、ワックス及び／又はレジン等のバインダー成分とを含む。インク層に含まれる色素成分は、インクリボン６１３が黒色のインクを有する場合、例えば、カーボン等である。長手方向１６に隣接する第一媒体８と第二媒体９とのペア１０は、長手方向に複数配列される。１のペア１０と、１のペア１０に隣り合う他のペア１０とは長手方向１６に離間する。長手方向１６において１のペア１０と他のペア１０との間となる部分には、シート７の厚み方向に貫通又は切り込まれた部分が含まれない。図４に示す開口部７９と排出部６４との間の長さＬは、図５（Ａ）に示す複数組の第一媒体８及び第二媒体９の内の、シート７の長手方向１６に隣合う２組の第一媒体８及び第二媒体９の間隔Ｄ１よりも短い。第一媒体８及び第二媒体９の幅方向１７の長さは、本例のシート７の幅方向１７の長さよりも短い。図５（Ｂ）に示すシート７の白色で示す部分のように、本例のシート７は第一媒体８又は第二媒体９が貼り付けられておらず、外部に露出している部分がある。
【００３０】
第一分離線４４は、長手方向１６において同じ組の第一媒体８と第二媒体９との間となるシート７において、長手方向１６に直交する幅方向１７の一端７１と他端７３との間に延びる。第一分離線４４は、シート７の厚み方向に貫通又は切り込まれた部分を含む。シート７の厚み方向に切り込まれた部分は、シート７の厚み方向には貫通しない。本例の第一分離線４４は、幅方向１７において、第二分離線４３から幅方向１７におけるシート７の他端７３まで延び、且つ、第二分離線４３と幅方向１７におけるシート７の一端７１との間には延びていない。第一分離線４４と第二分離線４３とは交点Ｑで交わる。交点Ｑは、第一分離線４４の幅方向１７の一端である。本例の第一分離線４４は、シート７の厚み方向に貫通するミシン目である。つまり第一分離線４４は一定間隔で設けられた、シート７を厚み方向に貫通する部分を含む。
【００３１】
第一切断部４８は、幅方向１７における第一媒体８の一端８３から、第一終点Ｅ１まで延びる。幅方向１７における第一媒体８の一端８３は、幅方向１７における第一媒体８の中心Ｍ１に対して、幅方向１７におけるシート７の一端７１側に位置する。第一終点Ｅ１は、幅方向１７における第一媒体８の一端８３と幅方向１７における第一媒体８の中心Ｍ１との間に位置する。第一切断部４８は、第一媒体８を貫通する。本例の長手方向１６における第一切断部４８の位置は、長手方向１６における第一媒体８の中心Ｍ３と一致する。長手方向１６において第一部分８５の内の第一終点Ｅ１から、第一終点Ｅ１に対して第一端部Ｆ１側とは反対側にはシート７の厚み方向に貫通又は切り込まれた部分は存在しない。本例の第一端部Ｆ１は、長手方向１６における第一媒体８の他端８２である。
【００３２】
第二切断部４９は、幅方向１７における第二媒体９の一端９３から、第二終点Ｅ２まで延びる。幅方向１７における第二媒体９の一端９３は、幅方向１７における第二媒体９の中心Ｍ２に対して、幅方向１７においてのシート７の一端７１側に位置する。第二終点Ｅ２は、幅方向１７における第二媒体９の一端９３と幅方向１７における第二媒体９の中心Ｍ２との間に位置する。第二切断部４９は、第二媒体９を貫通する、線状に延びる切り込みである。長手方向１６における第二終点Ｅ２の位置は、同じ組の第一媒体８と第二媒体９との間となるシート７の長手方向１６における中心に対して、第一切断部４８と等距離となる位置にある。本例では、同じ組の第一媒体８と第二媒体９との間となるシート７の長手方向１６における中心の位置は、長手方向１６における第一分離線４４の位置と一致する。長手方向１６において第二部分９５の内の第二終点Ｅ２から、第二終点Ｅ２に対して第二端部Ｆ２側とは反対側にはシート７の厚み方向に貫通又は切り込まれた部分は存在しない。本例の第二端部Ｆ２は、長手方向１６における第二媒体９の他端９２である。本例の第一終点Ｅ１と第二終点Ｅ２とは、シート７の幅方向１７において同じ位置にある。第一切断部４８の幅方向１７の長さと、第二切断部４９の幅方向１７の長さとの合計は、幅方向１７における第一媒体８の一端８３から第二分離線４３までの長さＤ２と等しい。本例の第二分離線４３と第三分離線４５とは幅方向１７の位置が同じである。第一切断部４８の幅方向１７の長さと、第二切断部４９の幅方向１７の長さとは同じである。つまり、第一切断部４８の幅方向１７の長さと、第二切断部４９の幅方向１７の長さとは各々、第一媒体８の幅方向１７の一端８３から第二分離線４３までの長さＤ２の半分である。
【００３３】
第二分離線４３は、シート７の厚み方向に貫通又は切り込まれた部分を含む。図５（Ｂ）に示すように、第二分離線４３は、シート７の第一媒体８が貼り付けられている第一部分８５に設けられる。第二分離線４３は、幅方向１７において、幅方向１７における第一媒体８の中心Ｍ１と、幅方向１７における第一媒体８の一端８３との間、且つ、長手方向１６において第一終点Ｅ１から、第一端部Ｆ１まで延びる。本例の第二分離線４３は、長手方向１６において第一終点Ｅ１から第一分離線４４まで延びる。本例のテープ６０は、幅方向１７において第一終点Ｅ１と第二分離線４３とが離間する。つまり、幅方向１７において、幅方向１７における第一媒体８の一端８３と、第二分離線４３との間に、第一終点Ｅ１がある。第二分離線４３は、幅方向１７において、幅方向１７におけるシート７の一端７１から３ｍｍ以上離間した位置に配置される。即ち、幅方向１７におけるシート７の一端７１から第二分離線４３までの距離Ｄ２は３ｍｍ以上である。
【００３４】
第三分離線４５は、シート７の厚み方向に貫通又は切り込まれた部分を含む。第三分離線４５は、シート７の第二媒体９が貼り付けられている第二部分９５に設けられる。第三分離線４５は、幅方向１７において、幅方向１７における第二媒体９の中心Ｍ２と、幅方向１７における第二媒体９の一端９３との間で延びる。第三分離線４５は更に、長手方向１６において第二終点Ｅ２から、第二端部Ｆ２まで延びる。第二端部Ｆ２は、長手方向１６における第二媒体９の一端９１及び他端９２の何れかである。長手方向１６における第一終点Ｅ１に対する第一端部Ｆ１の方向（図５（Ａ）における右方）と、長手方向１６における第二終点Ｅ２に対する第二端部Ｆ２の方向（図５（Ａ）における右方）とが同じ方向である。本例の第三分離線４５は、長手方向１６において第二終点Ｅ２から長手方向１６における第二媒体９の他端９２までよりも長く延びる。本例のテープ６０は、幅方向１７において第二終点Ｅ２と第三分離線４５とが離間する。第三分離線４５は、第二分離線４３と同様に、幅方向１７において、幅方向１７におけるシート７の一端７１から３ｍｍ以上離間した位置に配置される。
【００３５】
第一分割部５５及び第二分割部５６はシート７に設けられたシート７の厚み方向に貫通した部分を含む。第一分割部５５は、長手方向１６における位置が第一終点Ｅ１と一致し、幅方向１７において第二分離線４３から幅方向１７におけるシート７の一端７１まで幅方向１７に延びる。第二分割部５６は、長手方向１６における位置が第二終点Ｅ２と一致し、幅方向１７において第三分離線４５から幅方向１７におけるシート７の一端７１まで幅方向１７に延びる。第一分割部５５及び第二分割部５６は例えばミシン目又は切り込みである。本例の第一分割部５５及び第二分割部５６は第一切断部４８及び第二切断部４９と同様の、線状に延びるシート７の厚み方向に貫通する切り込みである。
【００３６】
第一媒体８及び第二媒体９は、印刷装置１に装着されたテープカセット６に内蔵される。第一媒体８及び第二媒体９には各々、例えば図５（Ｃ）の画像８６及び画像９６が印刷される。画像８６、９６は、第一媒体８及び第二媒体９の幅方向１７の大きさを超える元画像を第一媒体８及び第二媒体９の幅方向１７の大きさに収まる大きさに分割した画像である。元画像は、例えば、工場等で用いられる警告表示を表す。画像８６、９６を印刷するためのデータは公知の方法を利用して印刷装置１によって作成される。
【００３７】
〈テープ６０の製造方法〉
シート７の表面に帯状の媒体が貼られる。シート７に貼り付けられた媒体が、各組の第一媒体８と第二媒体９の形状に切断される。この時、シート７は切断されない（即ち、ハーフカット）。各組の第一媒体８及び第二媒体９以外の媒体が巻き上げられ、シート７から除去される。シート７に第一分離線４４、第二分離線４３、及び第三分離線４５が形成される。この時、第一媒体８及び第二媒体９は加工されない。シート７と第一媒体８とに切れ目を入れることで、第一切断部４８及び第一分割部５５が形成される。シート７と第二媒体９とに切れ目が入れられることで、第二切断部４９及び第二分割部５６が形成される。第二媒体９に画像４２が形成される。上記各工程の順序は適宜変更されてよい。
【００３８】
〈第一媒体８と第二媒体９との貼り付け方法〉
図５及び図６を参照し、印刷装置１によって印刷済みの第一媒体８と第二媒体９とを幅方向１７に貼り合わせる手順について説明する。図５（Ｃ）に示すように、印刷装置１によって第一媒体８に画像８６が印刷され、第二媒体９に画像９６が印刷され、印刷済みの第一媒体８と、次の組の第二媒体９との間で、切断用ノブ１４の操作に基づきテープ６０が切断された場合を具体例とする。画像８６は、画像９６に対して１８０度回転されている。第一媒体８及び第二媒体９が印刷された後、ユーザは切断用ノブ１４を操作して、長手方向１６において印刷済みのペア１０と、次のペア１０との間で、シート７を切断する。ユーザは、印刷済みの第一媒体８と第二媒体９とにおいて、第一分離線４４に沿ってシート７を分離した後、第一分離線４４と点Ｑで１交わる第一部分８５内にある第二分離線４３及び第一分割部５５に沿って、シート７の厚み方向にシート７を分離する。ユーザは第二部分９５の第三分離線４５及び第二分割部５６に沿って、シート７を分離する。分離作業の順序は適宜変更されてよい。
【００３９】
上記の作業によって図６（Ａ）に示す如く、テープ６０が、印刷済みの第一媒体８を含むテープ８７と、印刷済みの第二媒体９を含むテープ９７とに分離される。テープ８７は、部分シート７７及び第一媒体８を含む。部分シート７７は、シート７の内の第一部分８５を含む矩形状の部分である。テープ９７は、部分シート７８及び第二媒体９を含む。幅方向１７における第一媒体８の一端８３側且つ長手方向１６において第一終点Ｅ１から第一端部Ｆ１に対応する位置までの間の粘着層は、長手方向１６に沿ってシート７が剥がされ、外部に露出している。幅方向１７の第二媒体９の一端９３側且つ長手方向１６において第二終点Ｅ２から第二端部Ｆ２に対応する位置までの間の粘着層は、長手方向１６に沿ってシート７が剥がされ、外部に露出している。ユーザは、テープ８７を１８０度回転し、第一媒体８の第一切断部４８と第二媒体９の第二切断部４９とを噛み合わせる。ユーザは、図６（Ｂ）に示すように、第一切断部４８の第一終点Ｅ１と第二切断部４９の第二終点Ｅ２とを接触させる。ユーザは、第一媒体８と、第二媒体９とを、噛み合わせ部分を中心に相対的に回転させる。ユーザは、第一媒体８の粘着層が外部に露出した部分を、第二媒体９の一端９３側且つ第二終点Ｅ２よりも長手方向１６における第二媒体９の一端９１側の貼り付け部分Ｒ２に貼り付け、第二媒体９の粘着層が外部に露出した部分を第一媒体８の一端８３側且つ第一終点Ｅ１より長手方向１６における第一媒体８の一端８１側の貼り付け部分Ｒ１に貼り付ける。図６（Ｃ）に示すように、これらの作業によりユーザは、第一媒体８と第二媒体９とを一体の媒体９９として取り扱うことができる。媒体９９を壁等の対象物に貼り付ける場合、ユーザは部分シート７７、７８を媒体９９から剥がし、媒体９９を所望の位置に貼り付ける。
【００４０】
上記実施形態において、テープ６０、スプール７２、テープロール６００、インクリボン６１３、リボンロール２０、テープカセット６、筐体６７０、開口部７９、及び排出部６４は各々、本発明のテープ、スプール、テープロール、リボンロール、テープカセット、筐体、開口部、及び排出部の一例である。シート７、第一媒体８、第二媒体９、第一分離線４４、第一切断部４８、第二切断部４９、第二分離線４３、及び第三分離線４５は各々、本発明のシート、第一媒体、第二媒体、第一分離線、第一切断部、第二切断部、第二分離線、及び第三分離線の一例である。第一分割部５５及び第二分割部５６は、本発明の第一分割部及び第二分割部の一例である。幅方向１７におけるシート７の一端７１及び他端７３は各々、本発明の幅方向におけるシートの一端及び他端の一例である。長手方向１６における第一媒体８の一端８１及び他端８２、並びに幅方向１７における第一媒体８の一端８３及び他端８４は各々、長手方向における第一媒体の一端及び他端、並びに幅方向における第一媒体の一端及び他端の一例である。長手方向１６における第二媒体９の一端９１及び他端９２、並びに幅方向１７における第二媒体９の一端９３及び他端９４は各々、長手方向における第二媒体の一端及び他端、並びに幅方向における第二媒体の一端及び他端の一例である。
【００４１】
上記実施形態のテープカセット６は、テープロール６００を有する。テープロール６００のテープ６０は、媒体８、９の幅方向１７の大きさを超える元画像を幅方向１７の大きさに収まる大きさに分割して印刷する場合に、第一媒体８の第一切断部４８と第二媒体９の第二切断部４９を噛み合わせることで、貼り合わせ時に、第一媒体８と第二媒体９の長手方向１６の位置を精度よく合わせられる。
【００４２】
テープ６０では、第一終点Ｅ１と第二終点Ｅ２とは、幅方向１７において同じ位置にある。故にテープ６０は、第一媒体８の第一切断部４８と第二媒体９の第二切断部４９を噛み合わせて第一媒体８及び第二媒体９を貼り合わせた際に、幅方向１７の貼り合せ量が、第一切断部４８及び第二切断部４９の長手方向１６の両側で同じとなる。第一終点Ｅ１から幅方向１７における第一媒体８の一端８３までの長さと、第二終点Ｅ２から第二媒体９の幅方向１７の一端９３までの長さとが一致する。
【００４３】
第一切断部４８は、長手方向１６における第一媒体８の中心Ｍ３に位置する。第二切断部４９は、シート７の長手方向１６における第二媒体９の中心Ｍ４に位置する。故に、テープ６０は、シート７の長手方向１６の一方寄りに切断部を設ける場合よりも、第一媒体８の第一切断部４８と第二媒体９の第二切断部４９を噛み合わせて第一媒体８と第二媒体９とを貼り合わせる際の貼り付け長さが短くなる。貼り付け長さは、第一終点Ｅ１から第一端部Ｆ１までの長さ、及び、第二終点Ｅ２から第二端部Ｆ２までの長さの内の、大きい方である。そのため、ユーザは第一媒体８と第二媒体９とを精度良く貼り付けできる。
【００４４】
第二分離線４３は、長手方向１６において第一終点Ｅ１から、第一終点Ｅ１に対して第一端部Ｆ１側とは反対側を避けて形成される。第三分離線４５は、長手方向１６におい第二終点Ｅ２から、第二終点Ｅ２に対して第二端部Ｆ２側とは反対側を避けて形成される。故にテープ６０は、第一媒体８の第一切断部４８と第二媒体９の第二切断部４９を噛み合わせて第一媒体８と第二媒体９とを貼り合わせる際に、露出させる必要がある部分のシート７のみを剥がしやすい。故にテープ６０は、他方の媒体により覆われる部分のシート７を媒体に貼り付けた状態で、第一媒体８と第二媒体９とを貼り合わせることができる。
【００４５】
第二分離線４３及び第三分離線４５は、幅方向１７において幅方向１７におけるシート７の一端７１から３ｍｍ以上離間した位置に配置される。テープ６０は、第二分離線４３が、シート７の一端７１から３ｍｍ未満の位置に配置されている場合に比べ、第一媒体８と第二媒体９との貼り合せ部分を剥離しやすい。シート７の一端７１から第二分離線４３及び第三分離線４５までが３ｍｍ以上ある場合、仮にシート７が紙で構成されている場合であっても剥離作業を行うのに十分な幅となる。故にテープ６０では第二分離線４３及び第三分離線４５に沿ってシート７をシート７の一端７１から剥離する際に、途中でシート７が千切れにくい。
【００４６】
第二媒体９は、長手方向１６に延び、幅方向１７における第二媒体９の中心Ｍ２よりも第二切断部４９とは反対側に画像４２を備える。該テープ６０は、第一媒体８と第二媒体９とを貼り合わせ、第二媒体９を上側にして媒体９９を対象物に貼り付けた場合に、画像４２を、媒体の上側に配置できる。
【００４７】
同じ組の第一媒体８と第二媒体９とはシート７の長手方向１６に離間して剥離可能に貼り付けられている。故にテープ６０は、第一媒体８と第二媒体９とはシート７の長手方向１６に離間していない場合に比べ、第一分離線４４に沿って、分離しやすい。
【００４８】
第一切断部４８の幅方向１７の長さと、第二切断部４９の幅方向１７の長さとの合計は、幅方向１７における第一媒体８の一端８３から第二分離線４３までの長さと等しい。幅方向１７における第一媒体８の一端８３から第二分離線４３までの長さは、幅方向１７における第二媒体９の一端９３から第三分離線４５までの長さと同じである。第一媒体８の第一切断部４８と第二媒体９の第二切断部４９を噛み合わせた場合に、幅方向１７において、幅方向１７における第一媒体８の一端８３が第二媒体９の第三分離線４５と同じ位置となり、幅方向１７における第二媒体９の一端９３が第一媒体８の第二分離線４３と同じ位置となる。このため、長手方向１６において第一終点Ｅ１から第一媒体８の一端８１側と他端８２側とで、第一媒体８と第二媒体９との幅方向１７の貼り付け量が同じとなる。
【００４９】
更に第一切断部４８の幅方向１７の長さと、第二切断部４９の幅方向１７の長さとは同じである。このため、長手方向１６において第一終点Ｅ１から第一媒体８の一端８１側と他端８２側とで、第一媒体８と第二媒体９との長手方向１６の貼り付け量も同じにできる。つまりテープ６０は図６（Ｂ）の貼り付け部分Ｒ１、Ｒ２の面積を同じにできる。
【００５０】
テープ６０は第一分割部５５及び第二分割部５６を備える。第一分割部５５は、シート７に設けられたシート７の厚み方向に貫通した部分を含む。第一分割部５５は長手方向１６における位置が第一終点Ｅ１と一致し、幅方向１７において第二分離線４３から幅方向１７におけるシート７の一端７１まで幅方向１７に延びる。第二分割部５６は、シート７に設けられたシート７の厚み方向に貫通した部分を含む。第二分割部５６は長手方向１６における位置が第二終点Ｅ２と一致し、幅方向１７において第三分離線４５から幅方向１７におけるシート７の一端７１まで幅方向１７に延びる。故にテープ６０は第一分割部５５及び第二分割部５６を設けない場合に比べ、シート７を第一切断部４８及び第二切断部４９に対応する位置で分割しやすい。
【００５１】
テープカセット６は、テープロール６００、リボンロール２０、筐体６７０、開口部７９、及び排出部６４を備える。リボンロール２０は、テープロール６００への印刷に使用されるインクリボン６１３が巻回されている。筐体６７０は、テープロール６００と、リボンロール２０とを収容する。開口部７９は、インクリボン６１３と、テープ６０とを筐体６７０の外側に露出させる。排出部６４は、開口部７９から筐体６７０の外側に露出されたテープ６０を通す。開口部７９と排出部６４との間の長さＬは、複数組の第一媒体８及び第二媒体９の内の、シート７の長手方向１６に隣合う２組の第一媒体８及び第二媒体９の間隔Ｄ１よりも短い。テープカセット６は、排出部６４に隣接して配置されるカッタ（可動刃１４１及び固定刃１４２）を備える印刷装置１に取り付けられ、印刷を完了して、テープ６０が切断された時に、次の組の第二媒体９及び第一媒体８の第二媒体９の端部を筐体６７０内、つまり、サーマルヘッド２９と対向する印刷位置よりも搬送方向上流側に配置できる。搬送方向上流側は、長手方向１６においてスプール７２側である。
【００５２】
テープカセット６は、テープロール６００、リボンロール２０、筐体６７０を備える。テープロール６００は、テープ６０がスプール７２に巻回されている。リボンロール２０はテープ６０への印刷に使用されるインクリボン６１３が巻回されている。筐体６７０は、テープロール６００と、リボンロール２０とを収容する。テープ６０の第二媒体９は、第一色にて形成された画像４２を有する。インクリボン６１３は、第一色と異なる第二色のインクを含む。テープカセット６によれば、第一媒体８と第二媒体９とを貼り合わせた媒体９９には、第一色と、第二色とで表される画像を形成できる。
【００５３】
＜変形例＞
本発明のテープ、テープロール、及びテープカセットは上記実施形態に限定されるものではなく、本発明の要旨を逸脱しない範囲内において種々変更が加えられてもよい。例えば、以下の変形が適宜加えられてもよい。上記実施形態と下記の変形例とで同じ構成を有する部材には、同じ符号を付与して説明する。
【００５４】
第一媒体及び第二媒体の形状、大きさ、色、及びシートに対する配置等は適宜変更されてよい。例えば、第一媒体及び第二媒体は同じ形状でなくてもよい。例えば、第一媒体と第二媒体とは各々半円状であり、第一媒体に第二媒体を貼り合わせることで、円状の媒体を構成してもよい。例えば、第二媒体はテープの長手方向に延びる画像を備えなくてもよい。第一切断部と第二切断部とのシートの長手方向の位置は、長手方向において第一切断部の第一終点から長手方向における第一媒体の一分離線側の端部までの距離と、第二終点から長手方向における第二媒体の第一分離線側の端部までの距離との和が、第一媒体及び第二媒体の長手方向の長さに等しい条件を満たす範囲で適宜変更されてよい。
【００５５】
図７（Ａ）に示すように、変形例のテープ６１は、複数組の２つの第一媒体８を備えてもよい。ペア１００の第一媒体８は、互いに同じ形状且つ画像を備えない。第一分離線４４は、同じ組８０の２つの第一媒体８の間となるシート７の部分において、幅方向１７に延びる。例えば、図７（Ｂ）に示すように、変形例のテープ６７は、幅方向１７における２つの第一媒体８の一端８３は、幅方向１７におけるシート８９の一端７１と一致していない。幅方向１７における第一媒体８の中心Ｍ１からの距離は、幅方向１７における第一媒体８の一端８３までよりも、幅方向１７におけるシート８９の一端７１までの方が長い。この場合のテープ６７は、媒体に縁なし印刷をした場合に、幅方向の印刷位置がずれ、印刷が媒体の端からはみ出しても、シートが延設されている範囲であれば、はみ出された画像はシートに印刷され印刷装置１を傷めない。更に、テープ６７は、第一終点Ｅ１に対する第二分離線１４３の延設方向及び第二終点Ｅ２に対する第三分離線２４５の延設方向が、図５のテープ６０とは逆である。第三分離線２４５の一端は第一分離線４４まで延びる。
【００５６】
図８（Ａ）及び（Ｂ）に示すように、変形例のテープ６８は、帯状のシート８８、複数組の第一媒体８及び第二媒体９、第一分離線１４４、第一切断部４８、第二切断部４９、第二分離線４３、並びに第三分離線１４５を備える。テープ６８は、更に第一分割部１５５及び第二分割部１５６を備える。テープ６８の第二媒体９は、上記実施形態のテープ６０における第二媒体９に対して、１８０度回転する。幅方向１７における第二媒体９の端部９３は、幅方向１７におけるシート８８の他端７３と一致する。テープ６８では、第一媒体８に印刷される画像の向きと、第二媒体９に印刷される画像の向きとが同じである。第一分離線１４４は、長手方向１６において同じ組の第一媒体８と第二媒体９との間となるシート８８において、長手方向１６に直交する幅方向１７の一端７１から他端７３の間に延びる。第一分離線１４４は、シートの厚み方向に貫通又は切り込まれた部分を含む。本例の第一分離線１４４は、幅方向１７の一端７１及び他端７３までは延びていない。
【００５７】
第一切断部４８は、幅方向１７における第一媒体８の一端８３から、第一終点Ｅ１まで延びる。幅方向１７における第一媒体８の一端８３は、幅方向１７における第一媒体８の中心Ｍ１に対して、幅方向１７におけるシート８８の一端７１側に位置する。第一終点Ｅ１は、幅方向１７における第一媒体８の一端８３と幅方向１７における第一媒体８の中心Ｍ１との間に位置する。第一切断部４８は、第一媒体８を貫通する。第二切断部４９は、幅方向１７における第二媒体９の端部９３から、第二終点Ｅ２まで延びる。幅方向１７における第二媒体９の端部９３は、幅方向１７における第二媒体９の中心Ｍ２に対して、幅方向１７におけるシート８８の他端７３側に位置する。第二終点Ｅ２は、幅方向１７における第二媒体９の端部９３と幅方向１７における第二媒体９の中心Ｍ２との間に位置する。第二切断部４９は、第二媒体９を貫通する。長手方向１６における第二終点Ｅ２の位置が、距離Ｌ２と、距離Ｌ１との和が第二媒体９の長手方向１６の長さＬ３に等しい位置にある。距離Ｌ２は、長手方向１６において、長手方向１６における第二媒体９の中心Ｍ４に対して、第一分離線１４４側の長手方向１６における第二媒体９の端部９２と、第二終点Ｅ２との距離である。距離Ｌ１は、長手方向１６における第一媒体８の中心Ｍ３に対して、第一分離線１４４側の長手方向１６における第一媒体８の端部８２と、第一終点Ｅ１との距離である。
【００５８】
第二分離線４３は、シート８８の第一媒体８が貼り付けられている第一部分１８５に設けられる。第二分離線４３は、幅方向１７において、幅方向１７における第一媒体８の中心Ｍ１と、幅方向１７における第一媒体８の端部８３との間に延びる。第二分離線４３は、長手方向１６において第一終点Ｅ１から、長手方向１６における第一媒体８の一端８１及び他端８２の何れかである第一端部Ｆ１まで延びる。本例の第二分離線４３は、長手方向１６において第一分離線１４４まで延びる。幅方向１７において、第二分離線４３は、第一終点Ｅ１と中心Ｍ１との間に位置する。第三分離線１４５は、シート８８の第二媒体９が貼り付けられている第二部分１９５に設けられる。第三分離線１４５は、幅方向１７において、幅方向１７における第二媒体９の中心Ｍ２と、幅方向１７における第二媒体９の端部９４との間に延びる。第三分離線１４５は、長手方向１６において第二終点Ｅ２から、第二端部Ｆ４まで延びる。第二端部Ｆ４は、長手方向における第二媒体の一端及び他端の何れかである。長手方向１６における第一終点Ｅ１に対する第一端部Ｆ１の方向（図８（Ａ）における右方）と、長手方向１６における第二終点Ｅ２に対する第二端部Ｆ４の方向（図８（Ａ）における左方）とが反対の方向である。幅方向１７において、第三分離線１４５は、第二終点Ｅ２と中心Ｍ２との間に位置する。本例の第三分離線１４５は、長手方向１６において第一分離線１４４まで延びる。第二分離線１４３及び第三分離線１４５は、シート８８の厚み方向に貫通又は切り込まれた部分を含む。
【００５９】
更に別の変形例として、図８（Ｃ）に示すように、テープ８７は、第一分離線２４４、第二分離線１６３及び第三分離線１６４を備えてもよい。第一分離線１４４は、幅方向１７におけるシート８８の一端７１から他端７３に亘って延設される。第二分離線１６３は、長手方向１６において、第一終点Ｅ１から、第一終点Ｅ１に対して、テープ８７の第一分離線２４４とは反対側に延びる。第三分離線１６４は、長手方向１６において、第二終点Ｅ２から、第二終点Ｅ２に対して、テープ８７の第一分離線２４４とは反対側に延びる。この場合も長手方向１６において第一終点Ｅ１から第一媒体８の第一分離線２４４側の端部８２までの距離Ｌ１と、第二終点Ｅ２から第二媒体９の第一分離線２４４側の端部９２までの距離Ｌ２との和は、第一媒体８及び第二媒体９の長手方向１６の長さＬ３に等しい。テープ６８、８７では、シート７に対する幅方向１７における第二媒体９の一端と他端とが、テープ６０と逆になる。図８（Ａ）に示すテープ６８は、図８（Ｃ）に示すテープ８７に比べ、第一媒体８と第二媒体９とを貼り合わせる際に生じるシートの分離片の数を少なくできる。テープ６８、８７において、第一分離線２４４の延設範囲は適宜変更されてよい。
【００６０】
シートの構成は適宜変更されてよい。第一分割部及び第二分割部の形状、延設範囲等は適宜変更されてよく、第一分割部及び第二分割部の少なくとも何れかは適宜省略されてよい。シートが第一分割部及び第二分割部を備えない場合、ユーザは第一切断部と第二切断部とに対応する位置のシートを千切る又はハサミ等で切断すればよい。第一分割部は第一切断部と同様の形状であってもよいし互いに異なっていてもよい。同様に、第二分割部は第二切断部と同様の形状であってもよいし互いに異なっていてもよい。
【００６１】
以下、第一分割部及び第二分割部を設ける場合の変形例を、図９を参照して第一分割部を例に説明するが、第二分割部に適宜適用されてよい。図９の左右方向及び上下方向は各々変形例のシートの長手方向及び幅方向に対応する。図９（Ａ）に示すシート１３１は第一分割部を備えない。図９（Ｂ）に示すシート１３２は、第一分割部１６５を備える。第一分割部１６５はシート１３２の幅方向の一端７１から、幅方向における第一媒体８の第一終点Ｅ１に対応する位置まで線状に延設される。第一分割部１６５は例えば第二分離線４３と同様のミシン目である。ユーザは、第一分割部１６５と第二分離線４３との間のシート１３２は、千切る又はハサミ等で切断すればよい。図９（Ｃ）に示すシート１３３は第一分割部１６６を備える。第一分割部１６６はシート１３３の幅方向の一端７１から、幅方向における第二分離線４３まで線状に延設される。第一分割部１６６は例えば切り目である。図９（Ｄ）に示すシート１３４は、第一分割部１６２を備える。第一分割部１６２はシート１３４の幅方向の一端７１から、幅方向における第一媒体８の第一終点Ｅ１に対応する位置まで線状に延設される。第一分割部１６２は例えば切れ目である。
【００６２】
第一切断部及び第二切断部の形状は適宜変更されてよい。以下、第一切断部及び第二切断部の形状の変形例を、図１０を参照して第一切断部を例に説明するが、第二切断部に適宜適用されてよい。図１０（Ａ）に示す第一媒体１３５は、第一切断部１６０を備える。第一切断部１６０は幅方向における第一媒体１３５の一端８３から、幅方向における第二分離線４３まで延設される逆Ｖ次状の切り欠きである。図１０（Ｂ）に示す第一媒体１３６は第一切断部１６１を備える。幅方向における第一切断部１６１は第一媒体１３６の一端８３から、幅方向における第二分離線４３まで延設される逆Ｖ次状の切り欠きである。第一切断部１６０は逆Ｖ字をなす部分が直線状であるが、第一切断部１６１は第一媒体上の点を中心とする円弧状である。図１０（Ｃ）に示す第一媒体１３７は、第一切断部１５７を備える。第一切断部１５７は第一媒体１３７の幅方向の一端８３から、幅方向における第一媒体８の第一終点Ｅ１に対応する位置まで延設された逆Ｖ次状の切り欠きである。図１０（Ｄ）に示す第一媒体１３８は、第一切断部１５９を備える。第一切断部１５９は第一切断部１５７と同様の切り欠き１６７と、切り欠き１６７の図１０の上側の頂点から幅方向において第二分離線４３まで線状に延びる、第一媒体１３８の厚み方向に貫通する切断線１５８を備える。切り欠き１６７は、第一切断部１６１と同様に円弧状であってもよい。同じ組の第一媒体の第一切断部と、第二媒体の第二切断部とは、互いに同じ形状であってもよいし、互いに異なる形状であってもよい。第一分割部及び第二分割部の形状は、逆Ｖ字状の切り欠き等、上記切断部の変形例と同様に適宜変更されてよい。
【００６３】
シートの長手方向における第二分離線及び第三分離線の延設範囲は適宜変更されてよい。例えば、シートの長手方向において第二分離線は、長手方向における第一媒体の一端から他端に延びてもよい。シートの長手方向において第二分離線と第三分離線とは繋がっていてもよい。第二分離線及び第三分離線の少なくとも何れかが、第一分離線と接続しなくてもよい。長手方向において１のペアと他のペアとの間となる部分には、シートの厚み方向に貫通又は切り込まれた部分が形成されてもよい。第一分離線、第二分離線、及び第三分離は各々、シートの厚み方向に貫通又は切り込まれた部分を含めばよく、シートの厚み方向には貫通しない、シートの厚み方向に切り込まれた部分であってもよい。シートの厚み方向に切り込まれた部分は、例えば、厚み方向の断面形状が、Ｖ字状又はＵ字状の凹部であってもよいし、厚み方向に延びる線状であってもよい。シートの厚み方向に切り込まれた部分は、シートの表面に設けられてもよいし、裏面に設けられてもよい。
【００６４】
複数組の第一媒体８及び第二媒体９のうち、隣合う組の第一媒体８及び第二媒体９の間に、他の媒体が配置されてもよい。例えば、テープは円形、三角形、及び菱形の何れか１つの形状の第三媒体であって、シートの長手方向において、複数組の第一媒体及び第二媒体の内の、シートの長手方向に隣合う組の第一媒体及び第二媒体の間に配置される第三媒体を備えてもよい。第三媒体はテープカセットが備えるインクリボンの色とは異なる色であってもよい。この場合のテープは、第一媒体、第二媒体、及び第三媒体を適宜組み合わせることで、警告を表す印刷媒体の規格（例：ＡＮＳＩ  Ｚ５３５、ＩＥＣ６０４１７）に合致した印刷媒体が作成できる。
【００６５】
テープは、スプールに巻回されなくてもよい。テープロールはカセットに取り付けられていなくてもよい。テープカセット、及びテープカセットが装着される印刷装置の構成は各々適宜変更されてよい。テープの第一媒体及び第二媒体は印刷されなくてもよい。第一媒体、第二媒体、及びインクリボンのインクの色及び材質等は適宜変更されてよい。上記実施形態及び変形例は適宜組み合わされてよい。長手方向におけるシートの一端及び他端並びに幅方向の一端及び他端は適宜変更されてよい。テープの製造方法は適宜変更されてよい。テープは、シートと同様な形状の媒体の内、各組の第一媒体及び第二媒体以外の一部又は全部がシートに貼り付けられたままでもよく、その場合各組の第一媒体及び第二媒体以外の媒体を巻き上げる工程が適宜省略されてもよい。
【符号の説明】
【００６６】
６：テープカセット、７、８８、８９、１３１〜１３８：シート、８：第一媒体、９：第二媒体、１６：長手方向、１７：幅方向、４８：第一切断部、４９：第二切断部、２０：リボンロール、４２：画像、４３、１１６：第二分離線、４４、１１４：第一分離線、５５：第一分離部、５６：第二分離部、６０、６１、６７、６８、８７、８８、９７：テープ、６４：排出部、７２：スプール、７９：開口部、７１、８１、８３、９１、９３：一端、７３、８２、８４、９２、９４：他端、６１３：インクリボン、６７０：筐体
【図１】
2019045645.tif 000003
【図２】
2019045645.tif 000004
【図３】
2019045645.tif 000005
【図４】
2019045645.tif 000006
【図５】
2019045645.tif 000007
【図６】
2019045645.tif 000008
【図７】
2019045645.tif 000009
【図８】
2019045645.tif 000010
【図９】
2019045645.tif 000011
【図１０】
2019045645.tif 000012